(57)【要約】【課題】少ない素子数でフィルタ特性を得ることができる小型のフィルタ回路を提供する。【解決手段】ハイパスフィルタ２３は、コンデンサ２５、２６の直列接続体と、このコンデンサ２５、２６の接続点とグランドとの間に接続されたインダクタ２７とから成り、ローパスフィルタ２４は、インダクタ２８、２９の直列接続体と、このインダクタ２８、２９の接続点とグランドとの間に接続されたコンデンサ３０とで形成され、コンデンサ２５、２６の接続点とグランドとの間に接続された電子スイッチ３１と、インダクタ２８、２９の接続点とグランドとの間に接続された電子スイッチ３２とを設け、電子スイッチ３１と電子スイッチ３２のオンとオフは相反的に切り替えることができる構成としたものである。これにより、所期の目的を達成することができる。【選択図】図１
2007081799.tif 000002
【特許請求の範囲】
【請求項１】
入力端子と出力端子との間にハイパスフィルタとローパスフィルタとが並列接続されたフィルタ回路において、前記ハイパスフィルタは第１、第２のコンデンサの直列接続体と、前記第１、第２のコンデンサの接続点とグランドとの間に接続された第１のインダクタとから成り、前記ローパスフィルタは第２、第３のインダクタの直列接続体と、前記第２、第３のインダクタの接続点とグランドとの間に接続された第３のコンデンサとで形成され、前記第１、第２のコンデンサの接続点とグランドとの間に接続された第１の電子スイッチと、前記第２、第３のインダクタの接続点とグランドとの間に接続された第２の電子スイッチとを設け、前記第１の電子スイッチと前記第２の電子スイッチのオンとオフは相反的に切り替えられるフィルタ回路。
【請求項２】
第１、第２の電子スイッチは、夫々ピンダイオードで形成された請求項１に記載のフィルタ回路。
【請求項３】
ハイパスフィルタはＵＨＦ帯の高周波を通過させるとともに、ＶＨＦ帯の高周波の通過を阻止し、ローパスフィルタはＶＨＦ帯の高周波を通過させるとともに、ＵＨＦ帯の高周波の通過を阻止する請求項１に記載のフィルタ回路。
【請求項４】
第１の電子スイッチと第２の電子スイッチは、グランドに接続された共通端子を有する切り替えスイッチで形成された請求項１に記載のフィルタ回路。
【請求項５】
受信周波数の４分の１波長以下の長さを有するアンテナが接続されるアンテナ入力端子と、このアンテナ入力端子に入力された信号が供給される整合回路と、この整合回路の出力に接続された請求項１に記載のフィルタ回路と、このフィルタ回路の出力に接続された高周波増幅器と、この高周波増幅器の出力に接続された減衰器と、この減衰器の出力に接続されたモジュール出力端子とから成るアンテナモジュール。
【請求項６】
整合回路は、その入力と出力との間に接続された第４のコンデンサと、前記入力とグランドとの間に接続された第４のインダクタとで形成された請求項５に記載のアンテナモジュール。
【請求項７】
減衰器は、抵抗で形成された請求項５に記載のアンテナモジュール。
【請求項８】
受信周波数の４分の１波長以下の長さを有するアンテナが接続されるアンテナ入力端子と、このアンテナ入力端子に入力された信号が供給される整合・分波回路と、この整合・分波回路の出力に接続された高周波増幅器と、この高周波増幅器の出力に接続された減衰器と、この減衰器の出力に接続されたモジュール出力端子とを備え、前記整合・分波回路は請求項１に記載のフィルタ回路のハイパスフィルタとローパスフィルタの接続点と入力端子との間に接続された第５のインダクタと、第１、第２のインダクタの間に接続された第５のコンデンサと、前記第１のインダクタと前記第５のコンデンサの接続点とグランドとの間に接続された第６のインダクタとで形成されたアンテナモジュール。
【発明の詳細な説明】
【技術分野】
【０００１】
本発明は、フィルタ回路とそれを用いたアンテナモジュールに関するものである。
【背景技術】
【０００２】
以下、従来のフィルタ回路について説明する。従来のフィルタ回路は、図１４に示すような構成と成っていた。即ち、図１４において、入力端子１にハイパスフィルタ２とローパスフィルタ３の一端が接続されており、これらのハイパスフィルタ２とローパスフィルタ３の他端は切り替えスイッチ４の切り替え端子４ａ、４ｂに夫々接続されており、この切り替えスイッチ４の共通端子４ｃは直接出力端子５に接続されていた。
【０００３】
ここで、ハイパスフィルタ２は、コンデンサ６、７の直列接続体と、このコンデンサ６、７の接続点とグランドとの間に接続されたインダクタ８とで構成されている。
【０００４】
また、ローパスフィルタ３は、インダクタ９、１０の直列接続体と、このインダクタ９、１０の接続点とグランドとの間に接続されたコンデンサ１１とで構成されている。
【０００５】
以上のように構成されたフィルタ回路について、以下にその動作を説明する。切り替えスイッチ４を一方の端子４ａ側に切り替える。すると、入力端子１と出力端子５との間は、ハイパスフィルタ２として働く。
【０００６】
また、切り替えスイッチ４を他方の端子４ｂ側に切り替えると、入力端子１と出力端子５との間は、ローパスフィルタ３として働く。
【０００７】
なお、この出願の発明に関連する先行技術文献情報としては、例えば、特許文献１が知られている。
【特許文献１】特開平３−２１３００９号公報
【発明の開示】
【発明が解決しようとする課題】
【０００８】
しかしながらこのような従来のフィルタ回路においては、所要の減衰特性を得るためには、ハイパスフィルタ、ローパスフィルタを構成する素子数をさらに増やすことが必要となり、小型のフィルタ回路の実現ができなかった。
【０００９】
そこで本発明は、この問題を解決したもので、少ない素子数で所要のフィルタ特性を得ることができる小型のフィルタ回路を提供することを目的としたものである。
【課題を解決するための手段】
【００１０】
この目的を達成するために本発明のフィルタ回路において、ハイパスフィルタは第１、第２のコンデンサの直列接続体と、前記第１、第２のコンデンサの接続点とグランドとの間に接続された第１のインダクタとから成り、ローパスフィルタは第２、第３のインダクタの直列接続体と、前記第２、第３のインダクタの接続点とグランドとの間に接続された第３のコンデンサとで形成され、前記第１、第２のコンデンサの接続点とグランドとの間に接続された第１の電子スイッチと、前記第２、第３のインダクタの接続点とグランドとの間に接続された第２の電子スイッチとを設け、前記第１の電子スイッチと前記第２の電子スイッチのオンとオフは相反的に切り替えられる構成としたものである。これにより、所期の目的を達成することができる。
【発明の効果】
【００１１】
本発明のフィルタ回路は、入力端子と出力端子との間にハイパスフィルタとローパスフィルタとを並列接続し、前記ハイパスフィルタは第１、第２のコンデンサの直列接続体と、前記第１、第２のコンデンサの接続点とグランドとの間に接続された第１のインダクタとから成り、前記ローパスフィルタは第２、第３のインダクタの直列接続体と、前記第２、第３のインダクタの接続点とグランドとの間に接続された第３のコンデンサとで形成され、前記第１、第２のコンデンサの接続点とグランドとの間に接続された第１の電子スイッチと、前記第２、第３のインダクタの接続点とグランドとの間に接続された第２の電子スイッチとを設け、前記第１の電子スイッチと前記第２の電子スイッチのオンとオフは相反的に切り替えられる構成としたものである。
【００１２】
このように、第１、第２のコンデンサの接続点とグランドとの間に接続された第１の電子スイッチと、第２、第３のインダクタの接続点とグランドとの間に接続された第２の電子スイッチとを設け、一方の電子スイッチが開放時には他方の電子スイッチを短絡して用いる。これにより、ハイパスフィルタを選択時にはローパスフィルタの素子を利用し、ローパスフィルタを選択時にはハイパスフィルタの素子を利用して、それぞれ段数を増やしたフィルタとして用いることができる。従って、減衰特性の良好なハイパスフィルタとローパスフィルタを得ることができる。
【００１３】
このように、所要の減衰特性を得るために素子数を増やすことなくフィルタ回路を構成しているので、小型のフィルタ回路を実現できる。
【００１４】
更に、電子スイッチは、通過信号経路に挿入されていないので、この電子スイッチによる通過損失を少なくすることができる。これにより、低損失のフィルタ回路を実現できる。
【発明を実施するための最良の形態】
【００１５】
以下、本発明の実施の形態を図面に基づいて説明する。
【００１６】
（実施の形態１）
図１は本発明の実施の形態１におけるフィルタ回路の回路図である。図１において、入力端子２１と出力端子２２との間に、ＵＨＦ放送波帯を通過させるハイパスフィルタ２３と、ＶＨＦ放送波帯を通過させるローパスフィルタ２４とが並列に接続されている。
【００１７】
ここで、ハイパスフィルタ２３はコンデンサ２５、２６の直列接続体と、このコンデンサ２５、２６の接続点とグランドとの間に接続されたインダクタ２７とで構成されている。
【００１８】
また、ローパスフィルタ２４は、インダクタ２８、２９の直列接続体と、このインダクタ２８、２９の接続点とグランドとの間に接続されたコンデンサ３０とで構成されている。
【００１９】
また、コンデンサ２５、２６の接続点とグランドとの間には電子スイッチ３１が接続されており、インダクタ２８、２９の接続点とグランドとの間には電子スイッチ３２が接続されている。そして、この電子スイッチ３１、３２は相反的にグランドに接続されるように制御されている。
【００２０】
ここで、相反的という意味は、電子スイッチ３１がオンのときは電子スイッチ３２がオフであり、電子スイッチ３２がオンのときは電子スイッチ３１がオフとなるように相反する動作を意味する。
【００２１】
以上のように構成されたフィルタ回路について、以下にその動作を説明する。先ず、電子スイッチ３１をオフにして、電子スイッチ３２をオンにすると図２に示すように、入力端子２１と出力端子２２との間には、ＵＨＦ放送波帯を通過させる４段のハイパスフィルタ４１が形成されることになる。
【００２２】
即ち、インダクタ２８とコンデンサ２５とで形成されるとともにＵＨＦ放送波帯を通過させる第１段目のハイパスフィルタ３３と、コンデンサ２５とインダクタ２７とで形成されるとともにＵＨＦ放送波帯を通過させる第２段目のハイパスフィルタ３４と、インダクタ２７とコンデンサ２６とで形成されるとともにＵＨＦ放送波帯を通過させる第３段目のハイパスフィルタ３５と、コンデンサ２６とインダクタ２９とで形成されるとともにＵＨＦ放送波帯を通過させる第４段目のハイパスフィルタ３６が形成されることになる。
【００２３】
図４において、実線４３は本実施の形態における４段のハイパスフィルタ４１の通過特性であり、点線４４は従来例におけるハイパスフィルタ２の通過特性である。図４から明らかなように、本実施の形態におけるハイパスフィルタ４１は、従来のハイパスフィルタ２に比べて、特に４００ＭＨｚ以下における減衰特性において、優れた性能を有するものである。なお、図４において、横軸４５は周波数（ＭＨｚ）であり、縦軸４６は減衰量（ｄＢ）である。
【００２４】
このように、ハイパスフィルタ２３を選択時にはローパスフィルタ２４の素子であるインダクタ２８、２９を利用することにより、段数を増やしたハイパスフィルタ４１として用いることができる。従って、減衰特性の良好なハイパスフィルタ４１を得ることができる。
【００２５】
また、電子スイッチ３２は、通過信号経路に挿入されていないので、この電子スイッチ３２による通過損失を少なくすることができる。これにより、低損失のハイパスフィルタ４１を実現できる。
【００２６】
次に、電子スイッチ３１をオンにして、電子スイッチ３２をオフにする。すると図３に示すように、入力端子２１と出力端子２２との間には、ＶＨＦ放送波帯を通過させる４段のローパスフィルタ４２が形成されることになる。
【００２７】
即ち、コンデンサ２５とインダクタ２８とで形成されるとともにＶＨＦ放送波帯を通過させる第１段目のローパスフィルタ３７と、インダクタ２８とコンデンサ３０とで形成されるとともにＶＨＦ放送波帯を通過させる第２段目のローパスフィルタ３８と、コンデンサ３０とインダクタ２９とで形成されるとともにＶＨＦ放送波帯を通過させる第３段目のローパスフィルタ３９と、インダクタ２９とコンデンサ２６とで形成されるとともにＶＨＦ放送波帯を通過させる第４段目のローパスフィルタ４０が形成されることになる。
【００２８】
図５において、実線４７は本実施の形態における４段のローパスフィルタ４２の通過特性であり、点線４８は従来例におけるローパスフィルタ３の通過特性である。図５から明らかなように、本実施の形態におけるローパスフィルタ４２は、従来のローパスフィルタ３に比べて、３００ＭＨｚ以上における減衰特性において、優れた性能を有するものである。なお、図５において、横軸４５は周波数（ＭＨｚ）であり、縦軸４６は減衰量（ｄＢ）である。
【００２９】
このように、ローパスフィルタ２４を選択時にはハイパスフィルタ２３の素子であるコンデンサ２５、２６を利用することにより、段数を増やしたローパスフィルタ４２として用いることができる。従って、減衰特性の良好なローパスフィルタ４２を得ることができる。
【００３０】
また、電子スイッチ３１は、通過信号経路に挿入されていないので、この電子スイッチ３１による通過損失を少なくすることができる。これにより、低損失のローパスフィルタ４２を実現できる。
【００３１】
以上のように、ハイパスフィルタ２３の選択時にはローパスフィルタ２４の素子であるインダクタ２８、２９を利用し、ローパスフィルタ２４の選択時にはハイパスフィルタ２３の素子であるコンデンサ２５、２６を利用して段数を増やしたフィルタ回路として用いることができる。
【００３２】
このように、素子数を増やすことなく十分な減衰特性を有するハイパスフィルタ４１、ローパスフィルタ４２を構成することにより、小型のフィルタ回路を実現することができる。
【００３３】
また、電子スイッチ３１、３２は、通過信号経路に挿入されていないので、これら電子スイッチ３１、３２による通過損失を少なくすることができる。従って、低損失のフィルタ回路を実現することができる。
【００３４】
さらに、電子スイッチ３１、３２はピンダイオードで形成されているので、小型・低価格の２つの電子スイッチ３１、３２を構成することができる。
【００３５】
さらにまた、これら電子スイッチ３１、３２は互いに独立しているので、夫々自由に配置することができる。
【００３６】
（実施の形態２）
図６は、実施の形態２におけるフィルタ回路の回路図である。なお、実施の形態１と同じものについては同符号を付して説明を簡略化している。実施の形態２においては、実施の形態１における電子スイッチ３１、３２の代わりに切り替えスイッチ５１を用いた点で相違する。
【００３７】
即ち、ハイパスフィルタ２３を形成するコンデンサ２５とコンデンサ２６の接続点は、切り替えスイッチ５１の一方の端子５１ａに接続されている。また、ローパスフィルタ２４を形成するインダクタ２８とインダクタ２９の接続点は、切り替えスイッチ５１の他方の端子５１ｂに接続されている。また、切り替えスイッチ５１の共通端子５１ｃは直接グランドに接続されている。
【００３８】
このように１つの切り替えスイッチ５１を用いているので、部品点数を減らすことができ、小型化と低価格化に貢献することができる。
【００３９】
なお、この切り替えスイッチ５１はピンダイオードで形成されているので、小型化が可能である。
【００４０】
また、切り替えスイッチとして、ガリウム砒素集積回路、ＣＭＯＳ集積回路による単極双投（ＳＰＤＴ）スイッチを用いることで、小型化を図ることもできる。
【００４１】
その他の点に関しては実施の形態１と同様であるので、説明を簡略化する。また、特徴も実施の形態１と同様である。
【００４２】
（実施の形態３）
図７は、実施の形態３におけるアンテナモジュールである。以下、図面に基づいて本実施の形態を説明する。
【００４３】
図７において、５０はアンテナモジュールであり、５２はこのアンテナモジュール５０の入力端子である。この入力端子５２には、約７ｃｍの小型アンテナ５３が接続され、ＶＨＦ放送波とＵＨＦ放送波の双方の電波を受信するものである。なお、このアンテナモジュール５０は携帯機器等に用いられるものであり、小型のアンテナ５３が用いられる。この小型アンテナ５３は、受信周波数の４分の１波長以下の長さのものである。
【００４４】
入力端子５２は、静電気防止回路５４に接続されており、この静電気防止回路５４は互いに逆方向に並列接続された２個のダイオードが、信号線とグランドとの間に接続されている。この静電気防止回路５４の出力は、整合回路５５に接続されている。
【００４５】
また、この整合回路５５の出力はＶＨＦ放送波帯とＵＨＦ放送波帯とを分波するフィルタ回路５６に接続されている。このフィルタ回路５６としては、本実施の形態１、２で説明したフィルタ回路を用いることができる。また、このフィルタ回路５６の出力は高周波増幅器５７の入力に接続されており、この高周波増幅器５７の出力は減衰器５８の入力に接続されている。また、減衰器５８の出力はアンテナモジュール５０の出力端子５９に接続されている。
【００４６】
図８（ａ）は、整合回路５５の回路図である。即ち、この整合回路５５の入力５５ａと出力５５ｂとの間にはコンデンサ５５ｃが接続されており、入力５５ａとグランドとの間にはインダクタ５５ｄが接続されたものである。この整合回路５５は、小型アンテナ５３と高周波増幅器５７との結合損失を少なくし、受信信号の伝送損失を低減するために挿入するものである。
【００４７】
図８（ｂ）は、アドミッタンスチャート上でのインピーダンスを表している。小型アンテナ５３では、ＵＨＦ放送波帯、ＶＨＦ放送波帯を受信するが、携帯用として小型アンテナ５３を用いるため、４分の１波長の長さを確保することは困難である。このため、特にＶＨＦ放送波帯では抵抗成分が大きい入力インピーダンス６１ａを有するものとなる。なお、静電気防止回路５４の影響はないものとする。また、高周波増幅器５７の入力インピーダンスは、例えば１５０オーム（以下Ωと記す）に近いインピーダンス６１ｂである。
【００４８】
図８（ｂ）において、この小型アンテナ５３のインピーダンス６１ａは、並列に接続されたインダクタ５５ｄによって、定コンダクタンス円６１ｃに沿って反時計方向へ回転される。この結果、インピーダンス６１ｄへ移動できる。
【００４９】
図８（ｃ）は、スミスチャート上でのインピーダンスを表している。このインピーダンス６１ｄは、直列に接続されたコンデンサ５５ｃにより、定抵抗円６１ｅに沿って反時計方向へ回転される。この結果、インピーダンス６１ｆへ移動できる。
【００５０】
このように、インダクタ５５ｄとコンデンサ５５ｃを用いてインピーダンスを移動させることにより、出力５５ｂからみた小型アンテナ５３側のインピーダンスを高周波増幅器５７の入力インピーダンスに近似させることができる。つまり、小型アンテナ５３と高周波増幅器５７とを整合させることができる。このことにより、小型アンテナ５３で受信された受信信号は、少ない伝送損失で高周波増幅器５７へ入力することができる。
【００５１】
なお、整合回路５５のインダクタ５５ｄとコンデンサ５５ｃの値は電子スイッチ等の切り替えにより、最適値を選ぶことができる。従って、受信放送波帯が変わったとしても小型アンテナ５３と高周波増幅器５７との整合を適切に選ぶことができる。以上は、ＶＨＦ放送波帯のインピーダンスについて説明したが、ＵＨＦ放送波帯についても同様である。
【００５２】
図９は、高周波増幅器５７と出力端子５９との間に挿入された減衰器５８の回路図である。端子５８ａは入力であり、端子５８ｂは出力である。この減衰器５８は、抵抗５８ｃ、５８ｄ、５８ｅによってΠ（パイ）型アッテネータとすることにより、整合回路５５の出力インピーダンスを周波数に関係なく抵抗成分のみの７５Ωにすることができる。
【００５３】
これにより、出力端子５９に接続されるチューナ等の電子機器との結合損失を一定値にできる。即ち、チャンネル間での受信感度を一定にすることができる。
【００５４】
ここで、例えば、抵抗５８ｃは４７Ωとし、抵抗５８ｄは３３０Ω、抵抗５８ｅは３３０Ωとすると、減衰量を４ｄＢにすることができる。また、これらの値を適切に選ぶことにより、減衰器５８の減衰量を適切に設定することができる。
【００５５】
以上のように、本実施の形態におけるアンテナモジュール５０は、静電気防止回路５４を有しているので、例え、入力端子５２に静電気が入力されたとしても、この静電気により、アンテナモジュール５０が破壊されることは無い。また、このアンテナモジュール５０に接続されるチューナ装置等の電子機器を静電気で破壊させることもない。
【００５６】
また、整合回路５５を有しているので、例え受信波長の４分の１以下の小型アンテナ５３であったとしても感度良く受信することができる。
【００５７】
更に、本発明のフィルタ回路５６を用いているので、ＶＨＦ放送波帯とＵＨＦ放送波帯とを適切な減衰量で分波することができる。
【００５８】
更にまた、高周波増幅器５７を有しているので、電界強度の小さい場所でも受信することができる。また、高周波増幅器５７を有しているので、ＮＦ性能を向上させることができる。
【００５９】
また、減衰器５８を有しているので、出力端子５９に接続されるチューナ等の電子機器との結合レベルを適正にすることができる。
【００６０】
（実施の形態４）
図１０は、実施の形態４におけるアンテナモジュール６５の回路図である。ここで、実施の形態３と同じものについては、同一符号を付して説明を簡略化している。
【００６１】
図１０において、５３は小型アンテナであり、この小型アンテナ５３は、アンテナモジュール６５の入力端子６６に接続される。この入力端子６６には静電気防止回路５４が接続されており、この静電気防止回路５４の出力には、整合分波器６７が接続されている。また、この整合分波器６７の出力には高周波増幅器６８が接続されており、この高周波増幅器６８の出力には減衰器６９が接続されている。また、この減衰器６９の出力は直接アンテナモジュール６５の出力端子７０に接続されている。
【００６２】
ここで、静電気防止回路５４は、お互いに逆方向に接続されたダイオード５４ａ、５４ｂが並列接続されて、信号線とグランドとの間に接続されている。
【００６３】
整合分波器６７は、この整合分波器６７の入力に一方が接続されたインダクタ７１（３３ｎＨ）と、このインダクタ７１の他方に一方が接続されたインダクタ７２（１００ｎＨ）と、このインダクタ７２の他方に一方が接続されたコンデンサ７３（１５ｐＦ）と、このコンデンサ７３の他方と整合分波器６７の出力６７ｂとの間に接続されたインダクタ７４（１００ｎＨ）と、インダクタ７２とコンデンサ７３の接続点とグランドとの間に接続されたインダクタ７５（１５０ｎＨ）と電子スイッチ７６の並列接続体と、コンデンサ７３とインダクタ７４の接続点とグランドとの間に接続されたコンデンサ７７（５ｐＦ）と、インダクタ７１とインダクタ７２の接続点に一方が接続されたコンデンサ７８（２ｐＦ）と、このコンデンサ７８と整合分波器６７の出力６７ｂとの間に接続されたコンデンサ７９（４ｐＦ）と、コンデンサ７８とコンデンサ７９の接続点とグランドとの間に接続されたインダクタ８０（１８ｎＨ）と電子スイッチ８１の直列接続体とで構成されている。なお、電子スイッチ７６と電子スイッチ８１とは、ピンダイオードで形成されるとともに、相反的に切り替えられるものである。
【００６４】
以上のように構成された整合分波器６７において、電子スイッチ７６をオフにするとともに電子スイッチ８１をオンにすると、図１１に示すような、整合機能付きのローパスフィルタ８５を形成することになる。
【００６５】
また、電子スイッチ７６をオンにするとともに電子スイッチ８１をオフにすると、図１２に示すような、整合機能付きのハイパスフィルタ８６を形成することになる。
【００６６】
６８は高周波増幅器であり、整合分波器６７の出力６７ｂにベースが接続されたＮＰＮトランジスタ６８ａで構成されている。このトランジスタ６８ａのエミッタは直接グランドに接続されている。またコレクタは電源電圧が抵抗６８ｂを介して接続されている。なお、トランジスタ６８ａのベースには、コレクタから抵抗６８ｃ（１８ｋΩ）を介して電源が供給される。
【００６７】
また、このトランジスタ６８ａのコレクタから出力される高周波信号は、結合コンデンサ６８ｄを介して減衰器６９に接続されている。
【００６８】
この減衰器６９は、その入力と出力端子７０との間に接続された抵抗６９ａと、抵抗６９ａと出力端子７０の接続点とグランドとの間に接続された抵抗６９ｂとで構成されている。
【００６９】
以上のように構成されたアンテナモジュール６５もやはり、実施の形態３で述べたアンテナモジュール５０と同様の効果を奏するものである。
【００７０】
図１３は、小型アンテナ５３からアンテナモジュール６５の出力端子７０までの特性図である。図１３において、９０は、電子スイッチ７６をオフにするとともに電子スイッチ８１をオンにして整合分波器６７をローパスフィルタ８５としたときの特性図である。また、９１は、電子スイッチ７６をオンにするとともに電子スイッチ８１をオフにして整合分波器６７をハイパスフィルタ８６としたときの特性図である。なお、ここで、横軸９２は周波数（ＭＨｚ）であり、縦軸９３は減衰量（ｄＢ）である。
【産業上の利用可能性】
【００７１】
本発明のフィルタ回路は、少ない部品点数により良好な選択特性が実現できるので、小型サイズの通信機器に用いるアンテナモジュールとして有用である。
【図面の簡単な説明】
【００７２】
【図１】本発明の実施の形態１におけるフィルタ回路の回路図
【図２】同、第１の状態における等価回路図
【図３】同、第２の状態における等価回路図
【図４】同、第１の状態における特性図
【図５】同、第２の状態における特性図
【図６】同、実施の形態２におけるフィルタ回路の回路図
【図７】同、実施の形態３におけるアンテナモジュールのブロック図
【図８】（ａ）は同、アンテナモジュールを形成する整合器の回路図、（ｂ）は同、アドミッタンスチャート、（ｃ）は同、スミスチャート
【図９】同、減衰器の回路図
【図１０】同、実施の形態４におけるアンテナモジュールの回路図
【図１１】同、第１の状態における等価回路図
【図１２】同、第２の状態における等価回路図
【図１３】同、小型アンテナからアンテナモジュールの出力端子までの特性図
【図１４】従来のフィルタ回路の回路図
【符号の説明】
【００７３】
２１  入力端子
２２  出力端子
２３  ハイパスフィルタ
２４  ローパスフィルタ
２５  コンデンサ
２６  コンデンサ
２７  インダクタ
２８  インダクタ
２９  インダクタ
３０  コンデンサ
３１  電子スイッチ
３２  電子スイッチ
【図１】
2007081799.tif 000003
【図２】
2007081799.tif 000004
【図３】
2007081799.tif 000005
【図４】
2007081799.tif 000006
【図５】
2007081799.tif 000007
【図６】
2007081799.tif 000008
【図７】
2007081799.tif 000009
【図８】
2007081799.tif 000010
【図９】
2007081799.tif 000011
【図１０】
2007081799.tif 000012
【図１１】
2007081799.tif 000013
【図１２】
2007081799.tif 000014
【図１３】
2007081799.tif 000015
【図１４】
2007081799.tif 000016